【事件の表示】
　特許第３３０６３６７号「液晶表示装置」の請求項１ないし３に係る特許に対する特許異議の申立てについて、次のとおり決定する。
【結　論】
　訂正を認める。
　特許第３３０６３６７号の請求項１ないし２に係る特許を維持する。
【理　由】
１．手続の経緯
　特許第３３０６３６７号の請求項１ないし請求項３に係る発明についての出願は、平成１０年２月２０日に出願されたものであって、平成１４年５月１０日にその特許権の設定の登録がなされ、その後、池田英治により特許異議の申立てがなされ、取消理由通知がなされ、その指定期間内の平成１５年６月３日付けで訂正請求がなされたものである。
　
２．訂正の適否について
２−１．訂正の内容
（１）訂正事項ａ
　特許掲載公報における特許請求の範囲の請求項１の「液晶表示装置において、前記照明手段の少なくとも」を「液晶表示装置において、前記照明手段は、液晶セルの背面に配置された導光板と、導光板の側面に配置された光源と、光源を覆う光源反射材と、導光板の背面に配置された反射シートからなり、前記駆動素子は、前記液晶セルに接続された可撓性基板により前記導光板の光源のない側の端縁で折り返されて配置され、前記照明手段の少なくとも」と訂正する。
　これに伴い、特許掲載公報の【０００４】欄の「液晶表示装置において、前記照明手段の少なくとも」を「液晶表示装置において、前記照明手段は、液晶セルの背面に配置された導光板と、導光板の側面に配置された光源と、光源を覆う光源反射材と、導光板の背面に配置された反射シートからなり、前記駆動素子は、前記液晶セルに接続された可撓性基板により前記導光板の光源のない側の端縁で折り返されて配置され、前記照明手段の少なくとも」と訂正する。
（２）訂正事項ｂ
　特許掲載公報における特許請求の範囲の請求項１の「導電性の反射材が設けられている」を「導電性の反射材が前記反射シートに設けられている」と訂正する。
　これに伴い、特許掲載公報の【０００４】欄の「導電性の反射材が設けられている」を「導電性の反射材が前記反射シートに設けられている」と訂正する。
（３）訂正事項ｃ
　特許掲載公報における特許請求の範囲の請求項２、３において、もとの請求項２を削除し、以下項数を繰り上げてもとの請求項３を請求項２とする。なお、もとの請求項３の「前記照明手段は、液晶セルの背面に配置された導光板と、導光板の側面に配置された光源と、光源を覆う光源反射材と、導光板の背面に配置された反射シートからなり、該反射シートは前記光源反射材と絶縁されてアース電位に接続されていることを特徴とする請求項１もしくは請求項２記載の液晶表示装置」のうち、「前記照明手段は、液晶セルの背面に配置された導光板と、導光板の側面に配置された光源と、光源を覆う光源反射材と、導光板の背面に配置された反射シートからなり、」までを訂正後の請求項１で限定したため、「該反射シートは前記光源反射材と絶縁されてアース電位に接続されていることを特徴とする請求項１記載の液晶表示装置」を訂正後の請求項２とする。
　これに伴い、特許掲載公報の【０００４】欄の「本発明の液晶表示装置は請求項２に記載のように、…アース電位に接続されていることを特徴とする。」を「また請求項２に記載のように、該反射シートは前記光源反射材と絶縁されてアース電位に接続されていることを特徴とする。」と訂正する。
　
２−２．訂正の目的の適否、新規事項の有無及び拡張・変更の存否
　上記訂正事項ａについては、請求項１に記載された「液晶表示装置において、前記照明手段の少なくとも」を「液晶表示装置において、前記照明手段は、液晶セルの背面に配置された導光板と、導光板の側面に配置された光源と、光源を覆う光源反射材と、導光板の背面に配置された反射シートからなり、前記駆動素子は、前記液晶セルに接続された可撓性基板により前記導光板の光源のない側の端縁で折り返されて配置され、前記照明手段の少なくとも」とさらに限定すると共に、これに伴い特許請求の範囲の記載と発明の詳細な説明の記載との整合性をとるため、発明の詳細な説明の【０００４】を訂正するものであるから、特許請求の範囲の減縮及び明りょうでない記載の釈明に該当する。
　この訂正のうち「前記照明手段は、液晶セルの背面に配置された導光板と、導光板の側面に配置された光源と、光源を覆う光源反射材と、導光板の背面に配置された反射シートからなり」は、特許掲載公報の請求項３及び【０００７】欄の「液晶セル１の背面に配置された照明手段５は、液晶セル１の背面に対応して配置された導光板５１と、導光板５１の１側面に対向するように配置された冷陰極管などからなる線状の光源５２を有している」、「また光源５２には、光源５２を非接触に覆う光沢樹脂シートなどからなる好ましくは絶縁性の光源反射材５３を有し、光が効率よく導光板５１に導かれるように成されている。そして、導光板５１の背面には反射シート５４が配置され、」に基づくものである。
　また「前記駆動素子は、前記液晶セルに接続された可撓性基板により前記導光板の光源のない側の端縁で折り返されて配置され」の訂正は、特許掲載公報の【０００５】欄の「また駆動素子２は、液晶セル１に接続された可撓性基板３１により導光板５１の光源５２のない側の端縁で折り返されて配置されてることによって光源５２の点灯高周波の相互影響を軽減できる。」に基づくものである。
　
　上記訂正事項ｂについては、請求項１に記載された「導電性の反射材が設けられている」を「導電性の反射材が前記反射シートに設けられている」とし、反射材の位置を明確化すると共に、これに伴い特許請求の範囲の記載と発明の詳細な説明の記載との整合性をとるため、発明の詳細な説明の【０００４】を訂正するものであるから、特許請求の範囲の減縮及び明りょうでない記載の釈明に該当する。
　この訂正事項ｂは、特許掲載公報の【０００７】欄の「この反射シート５４が絶縁性の場合、照明手段５の少なくとも駆動素子２に対応する個所には導電性の反射材５５が設けられているが、この反射材５５は必要に応じて反射シート５４と一体になっていてもよく」及び図１（ｂ）に基づくものである。
　
　上記訂正事項ｃについては、減縮を目的として、特許掲載公報における特許請求の範囲の請求項２を削除し、また特許掲載公報における請求項３を「該反射シートは前記光源反射材と絶縁されてアース電位に接続されていることを特徴とする請求項１記載の液晶表示装置」と訂正して訂正後の請求項２としたものである。
なお、特許掲載公報【０００４】欄の訂正は、課題を解決するための手段の記載と訂正後の請求項２の記載との整合性を取るためのものであり、明りょうでない記載の釈明である。
　この訂正事項ｃは、特許掲載公報の請求項３及び【０００９】欄の「更に反射シート５４が光源反射材５３と絶縁されてアース電位に接続され電極パターン３０もアース電位のパターンであれば、電磁シールドされたことになる」、「この場合反射シート５４と光源反射材５３を電気的に接続すると、光源５２の出力低下につながるので、より好ましくは光源５２の近くに、導電材料、少なくとも特定電位に接続された面積の広い導電材料は配置しないのがよい」に基づくものである。なお、特許掲載公報の請求項３のうち「前記照明手段は、液晶セルの背面に配置された導光板と、導光板の側面に配置された光源と、光源を覆う光源反射材と、導光板の背面に配置された反射シートからなり、」までの限定を訂正後の請求項１に追加したため、その他の限定である「該反射シートは前記光源反射材と絶縁されてアース電位に接続されていること」を請求項１の従属項として訂正後の請求項２にしている。
　したがって、訂正事項ａ、ｂ、ｃは、特許法第１２０条の４第２項の但し書き第１号に規定する特許請求の範囲の減縮、及び第３項に規定する明りょうでない記載の釈明に相当するものである。
　また、訂正事項ａ、ｂ、ｃは、願書に添付した明細書又は図面に記載した事項の範囲内の訂正であり、かつ実質上特許請求の範囲を拡張し又は変更するものではない。
　
２−３．訂正の適否に対するむすび
　以上のとおり、本件訂正は、特許法第１２０条の４第２項及び第３項において準用する特許法第１２６条第２項及び第３項の規定に適合するので、当該訂正を認める。
　
３．特許異議申立の理由の概要
  特許異議申立人池田英治は、概ね下記の主張をしている。
（１）本件出願前公知の刊行物である甲第１号証（特開平９−１２００６６号公報）、甲第２号証（特開平５−２７３５４７号公報）、甲第３号証（実願昭６３−８４５９３号（実開平２−５７８０号）のマイクロフィルム）及び甲第４号証（特開平７−５６１６９号公報）を提出し、本件の請求項１に係る発明は、甲１号証に記載された発明であり、また本件の請求項１ないし３に係る発明は、甲各号証に記載された発明に基づいて当業者が容易に発明をすることができたものであるから、特許法第２９条第１項第３号又は同法第２９条第２項の規定により特許を受けることができない。
（２）請求項２の「幅の広い電極パターンを有するプリント基板」の記載は、どのような大きさのパターンを意味しているか不明であり発明の詳細な説明においても具体的な記載がなく、「幅の広い電極パターン」がどの程度幅広であるのかを把握できないから、特許法第３６条第６項２号の規定を満たすものではない。
　
４．当審の判断
（１）特許法第２９条違反について
　（ア）本件発明
　本件発明は、訂正明細書の特許請求の範囲の請求項１及び２に記載された事項により特定される次のとおりのものである。
「【請求項１】　液晶セルと、該液晶セルの背面に配置された照明手段と、該照明手段の背面に配置された前記液晶セルの駆動素子とを有する液晶表示装置において、前記照明手段は、液晶セルの背面に配置された導光板と、導光板の側面に配置された光源と、光源を覆う光源反射材と、導光板の背面に配置された反射シートからなり、前記駆動素子は、前記液晶セルに接続された可撓性基板により前記導光板の光源のない側の端縁で折り返されて配置され、前記照明手段の少なくとも前記駆動素子に対応する箇所にはアース電位に接続された導電性の反射材が前記反射シートに設けられていることを特徴とする液晶表示装置。
【請求項２】　該反射シートは前記光源反射材と絶縁されてアース電位に接続されていることを特徴とする請求項１記載の液晶表示装置。」
　　
　（イ）甲各号証記載の発明
　甲第１号証：（特開平９−１２００６６号公報）には、下記の記載が認められる。
「【請求項１】
　液晶表示部を照射するランプがインバータ電源回路で駆動される、バックライト方式の液晶表示装置において、前記ランプの光を液晶表示部に反射させて照射する導電性の反射板、又は、前記液晶表示部及びランプを支持する導電性の支持フレームの電位を、前記インバータ電源回路の所定の基準電圧と実質的に同一レベルに固定したことを特徴とする液晶表示装置。
【００２４】
　液晶表示部１１は、配線板１５に搭載された走査電極駆動回路１５Ａ〜１５Ｃ、表示電極駆動回路１５Ｄ〜１５Ｉ、電源回路１５Ｊの夫々で駆動される。
【００２９】
・・・基準電圧Ｖssは例えば回路の接地電位ＧＮＤＯ［Ｖ］である。
【００３５】
　また、前記バックライト方式の液晶表示装置は、導電性の反射板１４、導電性の支持フレーム１６の夫々を基準電圧配線１７Ｂによってインバータ電源回路１７の基準電圧Ｖssに固定している。これによって、前記電源電圧配線１７Ａと反射板１４、支持フレーム１６の夫々との間に生じ、電源電圧配線１７Ａに付加される浮遊容量を低滅し、冷陰極管１３に印加される電源電圧Ｖｈ及び周波数の変動を低減することができる。
【００３０】
　拡散板１２は、冷陰極管１３からの直接光及び冷陰極管１３から一旦反射板１４に反射させた反射光が液晶表示部１１に均一に照射されるように分散させている。反射板１４は、例えば、アルミニウム板の表面に白色塗装を施して構成されている。
【００３６】
　また、前記電源電圧配線１７Ａを短く構成することにより、電源電圧配線１７Ａが配線板１５に沿って延在する長さを短くすることができるので、前記電源電圧配線１７Ａの周波数電圧／電流に基づくノイズが液晶駆動回路１５Ａ〜１５Ｉや電源回路１５Ｊに発生することを低減し、バックライト方式の液晶表示装置の誤動作を防止することができる。」
　また、図１には、液晶表示部１１の下方に、拡散板１２、冷陰極管１３、反射板１４、配線板１５が順に配設されたバックライト方式の液晶表示装置の断面が示されている。
　
　甲第２号証（特開平５−２７３５４７号公報）には、下記の記載が認められる。
「【請求項２】
　背面照明装置と透過型液晶表示素子を有する液晶表示装置において、照明装置の背面に金属板を装備し、該金属板を接地したことを特徴とする液晶表示装置。
【００１４】
　図は液晶表示素子として透過型液晶表示素子を用い、背面に照明装置６を有している。本実施例では・・・照明装置６の背面と回路基板４の間に厚み１００μｍのアルミニウム箔からなる金属板７を挟み込んでいる。実際には該金属箔はアルミニウム箔の片面に絶縁膜を貼る付けた構造を持ち、その絶縁膜側を回路基板４に非導電性の両面テープで貼り付けている。本実施例の金属箔の寸法は液晶表示素子の表示部の開口寸法にほぼ等しくしている。また金属箔は一辺を延長し一点を回路基板４の接地線路に両面導通テープ５を用いて接続した。この結果不要輻射磁界強度は液晶表示装置の表面で測定したところ、前記実施例１と同等の減少が見られた。
【００１５】
　【発明の効果】以上説明したように本発明によれば、液晶表示素子の反射板を接地することでシールド効果が得られ、液晶表示装置から発生する不要輻射雑音を減少させる効果を有する。また本発明の液晶表示装置を使用した電子機器の不要輻射雑音を低減させ、電子機器の電磁障害を引き起こしにくくさせる効果をも有する。」
　
　甲第３号証（実願昭６３−８４５９３号（実開平２−５７８０号）のマイクロフィルム）には、第６図と共に、液晶パネ６ルの背面に光源１２を配置した液晶表示装置において、前記液晶パネル６に接続されたＦＰＣ９が裏側に折り返され、前記ＦＰＣ９に搭載された駆動用ＬＳＩが前記光源の背面に配置された透過型の液晶表示装置が記載されている。
　
　甲第４号証（特開平７−５６１６９号公報）には、下記の記載が認められる。　
「【００１６】
　図１と図２に於いて、液晶表示装置２は下枠９０に回路基板８０と基台１０が配設されており、基台１０は導光部材基台部１２と蛍光管基台部１１を備えている。基台１０の蛍光管基台部１１には照明装置の構成の一部であり光源の光を導光部材３０に向けて反射するところの反射部材６０と光源である蛍光管５０が収納されており、導光部材基台部１２には導光部材３０が収納されている。・・・
【００１８】
　拡散部材４０と蛍光管５０とを部分的に覆っている反射部材６０の上部に液晶パネル７０が配設される。液晶パネル７０の端部にはＦＰＣ７１が導電接着剤により接続されており、ＦＰＣ７１の液晶パネル７０と反対側の端部には、基台１０の切欠部１４を通り、基台１０の導光部材基台部１２の下方に配設されている回路基板８０とライン半田接続又は導電接着接続又はコネクタにより接続されている。
【００１９】
　図２に示す如く、ＦＰＣ７１と接続される液晶パネル７０の端部には、液晶を駆動する駆動ＩＣ７２がＣＯＧ実装されており、駆動ＩＣ７２の下部に蛍光管７２及び反射部材６０が配設される。
【００２０】
　駆動ＩＣ７２の下部に配設される反射部材６０は、一般に白色のポリエステル又はポリカ又はアルミ蒸着フィルム等が用いられるが実施例ではポリエステルを用いた。図３に断熱部材６１を配設した図を示す。反射部材６０と駆動ＩＣ７２の間には、断熱部材を挿入することで、蛍光管の発熱に対して駆動ＩＣを保護する効果が向上する。」
　
　　（ウ）対比・判断
［請求項１について］
  本件の請求項１に係る発明（以下、「本件発明１」という。）と上記甲第１号証〜甲第４号証記載のものとを対比する。
　甲第１号証には、導光板を有しないバックライト方式の液晶表示装置において、インバータ回路と冷陰極管の一端との間の電源電圧配線と反射板等の導電体との間に生じる浮遊容量により冷陰極管の輝度変化、及び、配線板の近傍に電源電圧配線が延在することによる高周波電圧／電流に基づくノイズが発生するのを防ぐために、冷陰極管の光を反射させる導電性の反射板をインバータ電源回路の基準電圧（接地電位）と同一レベルにすることが記載されている。しかし、本件発明１の構成要件「導光板の側面に配置された光源と、光源を覆う光源反射材と、導光板の背面に配置された反射シートからなり、前記駆動素子は、前記液晶セルに接続された可撓性基板により前記導光板の光源のない側の端縁で折り返されて配置され、前記照明手段の少なくとも前記駆動素子に対応する箇所にはアース電位に接続された導電性の反射材が前記反射シートに設けられていること」は備わっていない。
　甲第２号証には、液晶表示装置において、照明装置の背面と回路基板の間にアルミニウム箔からなる金属板を挟み込み、該金属箔を回路基板の設置線路に両面導通テープで接続し、シールド効果を得ることが記載されているが、甲第１号証と同様に上記本件発明１の構成要件は備わっていない。
　甲第３号証には、液晶パネルの背面に光源、ＦＰＣ（可撓性基板）を折り曲げて前記光源の背面側にＦＰＣに搭載されたＬＳＩを配置する透過型の液晶表示装置が記載されているが、本件発明１のような照明手段を備えておらず、したがって、「照明手段の少なくとも前記駆動素子に対応する箇所にはアース電位に接続された導電性の反射材が反射シートに設けられていること」、さらには「ＦＰＣを光源のない側の端縁で折り返すこと」については記載も示唆もない。
　また、甲第４号証には、エッジライト型の液晶表示装置において、蛍光管を覆う白色のポリエステル等の反射部材を有し、液晶パネルと回路基板をＦＰＣ（可撓性基板）で接続することは記載されているが、駆動ＩＣ（駆動素子）は、照明手段の背面に配置されておらず、「照明手段の少なくとも前記駆動素子に対応する箇所にはアース電位に接続された導電性の反射材が前記反射シートに設けられている」ことは記載も示唆もない。
　すなわち、甲各号証には、本件発明１の構成要件の一部がそれぞれバラバラに記載されているのみであるから、それらを有機的に結びつけて「駆動素子は、前記液晶セルに接続された可撓性基板により前記導光板の光源のない側の端縁で折り返されて配置され、前記照明手段の少なくとも前記駆動素子に対応する箇所にはアース電位に接続された導電性の反射材が反射シートに設けられている」という本件発明１の構成を導き出すことは容易とはいえない。
　しかも、本件発明１は、上記構成を備えることにより、光源の点灯高周波の相互影響を軽減でき、薄型大容量表示の画面であっても、あるいは表示装置全体を分厚い金属函体で覆わなくとも、ノイズに強い表示装置を提供できるという明細書記載の効果を奏するものである。
　したがって、本件発明１は、甲１号証に記載された発明であるとも、甲第１号証ないし甲第４号証に記載された発明に基づいて当業者が容易に発明をすることができたものであるともいえない。
　
［請求項２について］
  請求項２係る発明（以下、「本件発明２」という。）は、本件発明１に「反射シートは前記光源反射材と絶縁されてアース電位に接続されていること」をさらに限定するものであるから、本件発明１に対すると同様の理由により、甲第１号証ないし甲第４号証に記載された発明に基づいて当業者が容易に発明をすることができたものであるとはいえない。
　
（２）特許法第３６条第６項第２号違反について
　異議申立人は、請求項２の「幅の広い電極パターン」とはどのような大きさのパターンを意味しているのか不明であり、発明の詳細な説明にも具体的な説明がないから、どの程度の幅広であるのか把握できない旨主張する。
　しかし、訂正請求により、訂正前の請求項２は削除されたので、特許法第３６条第６項第２号違反は解消された。
　　
７．むすび
　以上のとおり、特許異議申立の理由及び証拠によっては、本件の請求項１及び２に係る発明の特許を取り消すことはできない。
　よって、結論のとおり決定する。
【異議決定日】
平成１５年７月１１日（２００３．７．１１）
【訂正の要旨】
審決（決定）の【理由】欄参照。
（５４）【発明の名称】
液晶表示装置
（５７）【特許請求の範囲】
　【請求項１】　液晶セルと、該液晶セルの背面に配置された照明手段と、該照明手段の背面に配置された前記液晶セルの駆動素子とを有する
液晶表示装置において、前記照明手段は、液晶セルの背面に配置された導光板と、導光板の側面に配置された光源と、光源を覆う光源反射材と、導光板の背面に配置された反射シートからなり、前記駆動素子は、前記液晶セルに接続された可撓性基板により前記導光板の光源のない側の端縁で折り返されて配置され、前記照明手段の少なくとも
前記反射シートに
　【請求項２】　
該反射シートは前記光源反射材と絶縁されてアース電位に接続されていることを特徴とする請求項１記載の
【発明の詳細な説明】
　【０００１】
　【発明の属する技術分野】
　本発明は駆動素子と照明手段を液晶セルと共に有した液晶表示装置に関する。
　【０００２】
　【従来の技術】
　従来より液晶表示装置においては、特開平５−１７３７０８号等に示されるように、液晶セルの周辺部に液晶駆動用の回路基板を接続し、液晶セルの背面に照明手段を配置し、これらを枠体の中に収納させて、いわゆる液晶モジュールとしていた。そして駆動素子は枠体を金属とし、金属裏板などで蓋をすることでノイズ対策を行っていた。
　【０００３】
　【発明が解決しようとする課題】
　ところがこのような液晶表示装置において、液晶セルは表示容量が多くなるにしたがって高い周波数のクロックを用いることとなり、また表示装置全体を薄く構成しようとすると、表示装置全体を金属板で覆うのが困難となり、ノイズの放出、外来のノイズによる誤動作などが生じて不都合であった。
　【０００４】
　【課題を解決するための手段】
　本発明の液晶表示装置は請求項１に記載のように、液晶セルと、該液晶セルの背面に配置された照明手段と、該照明手段の背面に配置された前記液晶セルの駆動素子とを有する液晶表示装置において
、前記照明手段は、液晶セルの背面に配置された導光板と、導光板の側面に配置された光源と、光源を覆う光源反射材と、導光板の背面に配置された反射シートからなり、前記駆動素子は、前記液晶セルに接続された可撓性基板により前記導光板の光源のない側の端縁で折り返されて配置され、前記照明手段の少なくとも
前記反射シートに
また請求項２に記載のように、該反射シートは前記光源反射材と絶縁されてアース電位に接続されていることを特徴とする。
　【０００５】
　【発明の実施の形態】
　図１は本発明実施例の液晶表示装置の要部断面図で、光源１灯型のものを示しており、ａは光源側、ｂは光源対向側である。光源２灯型の場合は、通常、対向する側面に光源が配置される。図１において、１は液晶セルで、例えばネマティック液晶をガラス基板で挾持し偏光板を基板表面に貼付したもので、例えばＴＦＴ液晶セルである。２は液晶セル１の周辺部に可撓性基板３１により接続され広い電極パターン３０を有する硬質または可撓性のプリント基板３の液晶セル１側に配置された駆動素子で、液晶ドライバーのほかコントローラやタイミング処理回路を含んでいてもよい。また駆動素子２は、液晶セル１に接続された可撓性基板３１により導光板５１の光源５２のない側の端縁で折り返されて配置されてることによって光源５２の点灯高周波の相互影響を軽減できる。
　【０００６】
　４は液晶セル１の背面周辺部に配置された樹脂枠で、液晶セル１の背面には照明手段５の導光板５１が設けられている。樹脂枠４は、略ロ字状をなしたフレーム様のもので、中央の透孔は液晶セル１の有効表示面に略対応し、照明手段５の導光板５１などを収納する。そして樹脂枠４は、例えばポリカーボネートとかＡＢＳあるいはそれらの樹脂の混合体などからなり、もっとも厚い部分の厚みが例えば５ｍｍ程度など肉薄となっている。
　【０００７】
　液晶セル１の背面に配置された照明手段５は、液晶セル１の背面に対応して配置された導光板５１と、導光板５１の１側面に対向するように配置された冷陰極管などからなる線状の光源５２を有している。導光板５はアクリル樹脂の透明な平板で、図の例ではクサビ型平板の例を示している。また光源５２には、光源５２を非接触に覆う光沢樹脂シートなどからなる好ましくは絶縁性の光源反射材５３を有し、光が効率よく導光板５１に導かれるように成されている。そして、導光板５１の背面には反射シート５４が配置され、必要に応じて導光板５１の表面にレンズ板などの光拡散手段が設けられている。この反射シート５４が絶縁性の場合、照明手段５の少なくとも駆動素子２に対応する個所には導電性の反射材５５が設けられているが、この反射材５５は必要に応じて反射シート５４と一体になっていてもよく、また反射シート５４事態が導電性の場合には、反射シートが反射材を兼用するように構成してもよい。なお、光源５２のリード線５６は樹脂枠４の隙間を通って外部に導出されている。
　【０００８】
　６は液晶セル１を収納する金属成形体からなる枠体で、中央に有効表示面に略対応する透孔を有し、函形で、周辺部四方向に垂部６２を有し、垂部６２の一部に爪を有している。この枠体６は、液晶セル１と樹脂枠４と照明手段５とを収納している。
　【０００９】
　このような構成において、駆動素子２はプリント基板３の幅の広い電極パターン３０と照明手段５の導電性の反射材５５によって電気的にサンドイッチされているので、ノイズ遮蔽され、更に反射シート５４が光源反射材５３と絶縁されてアース電位に接続され電極パターン３０もアース電位のパターンであれば、電磁シールドされたことになる。また枠体６もアース電位に接続され同電位に保たれると一層ノイズ耐性が高くなる。この場合反射シート５４と光源反射材５３を電気的に接続すると、光源５２の出力低下につながるので、より好ましくは光源５２の近くに、導電材料、少なくとも特定電位に接続された面積の広い導電材料は配置しないのがよい。
　【００１０】
　【発明の効果】
　以上のように構成することによって、薄型大容量表示の画面であっても、あるいは表示装置全体を分厚い金属函体で覆わなくとも、ノイズに強い表示装置を提供できた。
【図面の簡単な説明】
　【図１】
　本発明実施例の液晶表示装置の要部断面図で、ａは光源側、ｂは光源対向側を示す。
　【符号の説明】
　１　液晶セル
　２　駆動素子
　３　プリント基板
　３０　（広い）電極パターン
　４　樹脂枠
　５　照明手段
　５１　導光板
　５２　光源
　５３　光源反射材
　５４　反射シート（反射剤兼用もあり得る）
　５５　反射材
　６　枠体